(57)【特許請求の範囲】
【請求項１】
所定の長尺方向に延在状に形成されるとともに、使用者の把持に供される把持部と、
前記長尺方向と交差する幅方向に延在状に形成されるとともに、刃体および前記刃体に隣接して形成された櫛部を有するヘッド部と、
前記把持部と前記ヘッド部を連結する連結部と、を有する剃刀であって、
前記把持部の、前記幅方向への幅寸法は、前記長尺方向の全体に渡って、前記ヘッド部の前記幅方向への幅寸法以上に設定されるとともに、前記長尺方向において前記ヘッド部から離間する側へと漸増する構成とされ、
前記連結部は、前記幅方向における前記ヘッド部の両端部および前記把持部の両端部をそれぞれ直線状に連結する構成とされ、
前記長尺方向および前記幅方向と交差する上下方向に関し、前記連結部の高さ寸法は、前記ヘッド部の高さ寸法および前記把持部の高さ寸法よりも小さく設定され
前記把持部は、天面部と、前記幅方向における前記天面部の両端部から、前記天面部の面方向と交差状に延在形成された一対の側壁部と、前記天面部および前記一対の側壁部同士を連結するリブ部と、を有し、
前記リブ部は、前記長尺方向および前記上下方向のそれぞれに対して傾斜状に設けられ、
前記天面部、前記一対の側壁部および前記リブ部は、使用者の手指が載置可能な手指載置面を有することを特徴とする剃刀。
【請求項２】
請求項１に記載の剃刀であって、
前記連結部は、前記幅方向における前記ヘッド部の両端部および前記把持部の両端部をそれぞれ直線状に連結する第１連結要素および第２連結要素を有するとともに、前記第１連結要素と前記第２連結要素の間には、貫通開口部が形成されていることを特徴とする剃刀。
【請求項３】
請求項１または２に記載の剃刀であって、前記櫛部は、前記長尺方向に対向状に形成された第１櫛部構成体および第２櫛部構成体を有するとともに、前記刃体は、前記第１櫛部構成体および前記第２櫛部構成体の間に挟持されることを特徴とする剃刀。
【請求項４】
請求項１から３のいずれか１項に記載の剃刀であって、更に、前記天面部および隣接する前記リブ部同士を互いに連結する補助リブ部が設けられていることを特徴とする剃刀。
【請求項５】
請求項４に記載の剃刀であって、前記補助リブ部は、前記長尺方向、前記幅方向および前記上下方向のいずれに対しても傾斜状に設けられることを特徴とする剃刀。
【請求項６】
請求項４または５に記載の剃刀であって、前記補助リブ部は、使用者の手指が載置可能な補助リブ部手指載置面を有し、前記補助リブ部手指載置面は、前記手指載置面と同一面状となるように構成されていることを特徴とする剃刀。
【請求項７】
請求項１から６までのいずれか１項に記載の剃刀であって、前記連結部の、前記把持部に隣接する領域には凹部が形成されるとともに、前記凹部内に、前記長尺方向、前記幅方向および前記上下方向のいずれに対しても傾斜状に設けられた連結部リブ部を更に有することを特徴とする剃刀。
【請求項８】
請求項７に記載の剃刀であって、前記連結部リブ部は、使用者の手指が載置可能な連結部リブ部手指載置面を有し、前記連結部リブ部手指載置面は、前記手指載置面と同一面状となるように構成されていることを特徴とする剃刀。
【発明の詳細な説明】
【技術分野】
【０００１】
本発明は、剃刀の合理的な構成技術に関する。
【背景技術】
【０００２】
剃刀の構成として、各種の使用態様を想定したものが知られている。例えばビキニ・ラインやＩラインの処理等、いわゆるデリケートゾーンでの体毛カット処理を想定した剃刀について、公開実用新案公報昭６１−７１０７２号公報（特許文献１）に開示されたものが知られている。
当該特許文献１では、剃り落されたアンダーヘアを効率的に排出することで剃毛作業に支障をきたさないように工夫した技術が開示されている。
【０００３】
上記特許文献１に開示された技術では、剃り落されたアンダーヘアが刃体近傍に滞留して作業の妨げとならないようにする点で一定の効果が期待される。一方、デリケートゾーンにおいては、単に体毛の排出性向上のみならず、使用者による剃刀の把持性、操作性にも更に踏み込んだ創意工夫が求められる。
【０００４】
【特許文献１】公開実用新案公報昭６１−７１０７２号公報
【発明の開示】
【発明が解決しようとする課題】
【０００５】
本発明は、かかる点に鑑みてなされたものであり、剃刀の合理的な構成技術の提供を目的としている。
【課題を解決するための手段】
【０００６】
上記課題は、本発明によって解決される。
本発明においては、所定の長尺方向に延在状に形成されるとともに、使用者の把持に供される把持部と、前記長尺方向と交差する幅方向に延在状に形成されるとともに、刃体および前記刃体に隣接して形成された櫛部を有するヘッド部と、前記把持部と前記ヘッド部を連結する連結部と、を有する剃刀が構成される。
【０００７】
ヘッド部における刃体は、ヘッド部の幅方向全体に渡って配置される態様、部分的に配置される態様のいずれも好適に包含する。また「櫛部」は、剃刀の使用に際し、カット対象となる体毛を刃体に送るために櫛当て処理を行う部材であり、当該櫛部によって体毛同士が絡み合ってカット処理の妨げとなることを効果的に防止する。換言すれば、処理対象となる体毛が、刃体に隣接して形成された櫛部によって整列状に整えられたて刃体に送られてカット処理されるものである。
【０００８】
そして前記把持部の、前記幅方向への幅寸法は、前記長尺方向の全体に渡って、前記ヘッド部の前記幅方向への幅寸法以上に設定される。把持部の幅寸法が、ヘッド部の幅寸法「以上」とは、実質的に略同寸である態様、およびヘッド部の幅寸法を上回る態様のいずれも包含する。
【０００９】
更に、前記把持部の、前記幅方向への幅寸法は、前記長尺方向において、前記ヘッド部から離間する側へと漸増する構成とされている。「漸増」とは、典型的には、漸次、順次、ないし逐次に、幅寸法が増大する態様を指し、連続的に増大する態様、段階的に増大する態様、局所的に増大する態様のいずれも好適に包含する。漸増は、長尺方向における把持部の略全体（ラウンド処理等の部分を除く）に渡る構成とすることが好ましい。また増大の量については、増大量が一定の態様（増大の変化量が一定）、増大量が変化する態様のいずれも好適に包含する。また「ヘッド部から離間する側へと漸増」とは、典型的には、ヘッド部から離れるにつれて、すなわち長尺方向の後方に向かうにつれて、把持部の幅寸法が、漸次、順次ないし逐次に増大していく態様を指す。
【００１０】
かかる幅寸法の工夫により、剃刀、とくにヘッド部の精妙な操作コントロールが可能となる。公知の剃刀では、一般的に、把持部の幅寸法がヘッド部の幅寸法を下回る構成が採用されているが、このような場合、手指の力が、幅狭の把持部に集中してしまい、かえって操作しづらくなる懸念があるが、本発明ではこの点についての改善が著しい。
更に、上記した幅寸法の漸増構成により、使用者の手指が接触する把持部の前方側の幅寸法は相対的に小さく、一方、使用者の掌が接触する把持部の後方側の幅寸法は相対的に大きく設定することとなり、「しっかり握りつつ、狙いどおりの正確な作業を行うことができる」という、人間工学的に優れた操作性および把持性の両立を担保することができる。
【００１１】
更に前記連結部は、前記幅方向における前記ヘッド部の両端部および前記把持部の両端部をそれぞれ直線状に連結する構成とされている。
「直線状に連結」については、典型的には、ヘッド部の一方側端部と把持部の一方側端部を最短距離で連結するとともに、ヘッド部の他方側端部と把持部の他方側端部を最短距離で連結する態様が該当する。
【００１２】
このように構成することで、把持部のサイズをヘッド部のサイズと同等以上に設定し、使用者による把持部の把持態様を多様化することができる。そして把持態様を多様化することで、とりわけ陰部や腋部等といったデリケートゾーンにおける体毛カット処理においても、豊富な把持態様の中から使用者が適宜に選択することを許容し、これによって剃刀の精妙な操作コントロールを行うことができるようになる。さらに連結部がヘッド部の両端部と把持部の両端部をそれぞれ直線状に連結することで、ヘッド部と把持部の組み付けにおける強度剛性を高く確保することが可能となり、ヘッド部が不用意に撓み過ぎることを防止し、剃刀の耐久性向上も図ることができる。
【００１３】
更に、前記長尺方向および前記幅方向と交差する上下方向に関し、前記連結部の高さ寸法は、前記ヘッド部の高さ寸法および前記把持部の高さ寸法よりも小さく設定される。
【００１４】
このように構成することで、特にデリケートゾーンでの体毛処理のように、ヘッド部をアクセスさせにくい領域にアプローチさせる場合に、上下方向（高さ方向）にコンパクト化された連結部が、その障害とならないようにすることができる。また、例えば連結部の曲げ剛性を適宜に調節し、ヘッド部の把持部に対する相対的な回動動作の許容ないし規制を行う態様が構築できる。また上下方向に関してヘッド部、連結部、把持部の寸法を適宜に変化させることで、剃刀の外観形状にアクセントを加え、デザイン的な趣向性を向上することが可能とされる。
【００１５】
なお、前記ヘッド部、前記連結部および前記把持部については、樹脂による一体成形構造とすることができる。
このように構成することで、剃刀の組付け工程を合理化するとともに、所用材料の低減化を図ることが可能とされ、更に一体成形構造を利用することで、剃刀の外観デザインに対し、更に踏み込んだ趣向性を付与することが可能とされる。
【００１６】
更に、前記把持部は、天面部と、前記幅方向における前記天面部の両端部から、前記天面部の面方向（長尺方向および幅方向）と交差状（典型的には前記上下方向）に延在形成された一対の側壁部と、前記天面部および前記一対の側壁部同士を連結するリブ部と、を有する構成とされる。
【００１７】
このように構成することで、把持部の構造を簡素化して材料の低量化を図るとともに高剛性化を図ることが可能とされる。更に、リブ部の配置態様に工夫を凝らすことで、剃刀の外観デザインに対し、より一層踏み込んだ趣向性を付与することが可能とされる。
【００１８】
更に前記リブ部は、前記長尺方向および前記上下方向のそれぞれに対して所定の傾斜角をもって傾斜状に設けられる。
このように構成することで、リブ部につき、幅方向はもとより、長尺方向および上下方向に対しても高い強度剛性を発揮させることができ、剃刀の剛性および耐久性を向上することが可能となる。
【００１９】
そして、前記天面部、一対の側壁部およびリブ部は、使用者の手指が載置可能な手指載置面を有する構成とされる。
このように構成することで、ヘッド部の幅寸法以上の幅寸法を有する把持部にあって、その天面部および各側壁部およびリブ部に手指載置面を構成し、使用者の手指の載置に供することが可能となる。
これにより、把持部の剛性を確保するのと併せて、使用者は、把持部の広範な領域を手指の載置に利用することができ、多様化された把持態様の中から、自分にあったものを適宜に選択する自由度が増し、剃刀の把持性および操作性を一層向上させることができる。
この結果、上記した「しっかり握りつつ、狙いどおりの正確な作業を行うことができる」という本発明の特徴が、さらに「把持する際の手指の載置場所が豊富」とすることで一層際立つことになる。
なお天面部および各側壁部およびリブ部の各手指載置面については、手指の移動の円滑性確保の観点から、連続状の同一面、典型的には面一状に構成されることが好ましい。
【００２０】
本発明の好ましい態様として、前記連結部につき、前記幅方向における前記ヘッド部の両端部および前記把持部の両端部をそれぞれ直線状に連結する第１連結要素および第２連結要素を有する構成とし、前記第１連結要素と前記第２連結要素の間には、貫通開口部が形成される構成とすることができる。
このように構成することで、使用者は、当該貫通開口部を通じて、ヘッド部による体毛カット処理領域を直接視認することが可能となり、一層の操作性向上が図られる。
視認性向上の見地によれば、当該貫通開口部は、長尺方向ないし幅方向につき、連結部の略全体に渡って形成されることが好ましい。
【００２１】
更なる本発明の好ましい態様として、前記櫛部は、前記長尺方向に（互いに）対向状に形成された第１櫛部構成体および第２櫛部構成体を有するとともに、前記刃体は、前記第１櫛部構成体および前記第２櫛部構成体の間に挟持されることができる。
このように構成することで、剃刀の使用において、カット対象となる体毛の整列作業が確実に遂行可能とされる。
【００２２】
更なる本発明の好ましい態様として、前記天面部および隣接する前記リブ部同士を互いに連結する補助リブ部を設けることができる。
このように構成することで、上記したリブ部を、更に補助リブ部で補強することが可能となり、把持部の強度剛性の向上が更に担保されることになる。
補助リブ部には、使用者の手指が載置可能な手指載置面を設けることが好ましい。
また当該補助リブ部における手指載置面は、手指の移動の円滑性確保の観点から、上記リブ部の手指載置面と、連続状の同一面、典型的には面一状に構成されることが好ましい。更に前記把持部における、上記リブ部以外の部材領域、すなわち天面部および各側壁部における手指載置面と同一面、典型的には面一状に構成されてもよい。
【００２３】
更に前記補助リブ部は、前記長尺方向、前記幅方向および前記上下方向のいずれに対しても傾斜状に設けられることが好ましい。
このように構成することで、補助リブ部によるリブ部に対する補強効果が一層増大することになる。
なお、上記補助リブ部は、長尺方向につき、中央線を挟んで対称状かつ対状（ペア状）に形成される態様、あるいは、長尺方向へと波状に延在するように構成される態様、あるいはその双方、といった態様が構築可能である。外観趣向性と強度剛性、更に手指載置の場所増大の観点から、補助リブ部を複数組み合わせて、Ｖ字状ないしＸ字状に構成することができる。
【００２４】
更に本発明の好ましい態様として、前記連結部の、前記把持部に隣接する領域に、前記長尺方向、前記幅方向および前記上下方向のいずれに対しても傾斜状に設けられた連結部リブ部を更に配置することができる。
このように構成することで、連結部の強度剛性を更に増大することが可能となり、剃刀の耐久性向上に資することができる。特に、連結部に凹部を形成するとともに、当該凹部内に連結部リブ部を形成する構成が好適である。
なお、当該連結部リブ部は、上記した補助リブ部と併せて、あるいは補助リブ部なしで設けることが可能である。
連結部リブ部には、使用者の手指が載置可能な手指載置面を設けることが好ましい。
また当該連結部リブ部における手指載置面は、手指の移動の円滑性確保の観点から、上記把持部における各部の手指載置面と、連続状の同一面状（典型的には面一状）に構成されることが好ましい。
【００２５】
本発明によれば、剃刀の合理的な構成技術が提供されることとなった。
【発明を実施するための最良の形態】
【００２６】
（本発明の第１の実施形態）
本発明の第１の実施形態について図１〜図１１に基づいて説明する。本実施形態は、図１〜図５に投影図として、図６に斜視図として、その全体構成が示される剃刀１に関する。この剃刀１は、典型的には、ビキニ・ラインやＩラインといった陰部、あるいは腋下部といった人間の身体の局所部分、すなわち繊細な操作が求められるデリケートゾーンにおける体毛カット処理に好適に用いられる。
【００２７】
（剃刀１の基本構成および材質）
本実施形態に係る剃刀１は、図１〜図８に示すように、ヘッド部３、連結部４および把持部５を有する剃刀ホルダ２と、当該剃刀ホルダ２に装着される刃体３７を主体として構成されている。
本実施形態におけるヘッド部３、連結部４、および把持部５は、樹脂による一体成形体として構成されている。樹脂材としては、ＰＰ（ポリプロピレン）の他、ＡＢＳ、エラストマー、ＰＣ（ポリカーボネート）、ＰＥＴ（ポリエチレンテレフタレート）、ＰＶＣ（塩化ビニル樹脂）等が好適に用いられる。なお、近年の脱プラスチック化の流れに鑑み、樹脂材に代えて、例えば紙材や段ボール材等によって一体成形体を構築することも可能である。
一体成形体とすることで、剃刀１の製造工程を合理化し、所用材料の低減化を図ることが可能とされるとともに、剃刀１の外観デザインに対し、更に踏み込んだ趣向性を付与することが可能とされる。
【００２８】
一方、刃体３７は金属製ブレードとして構成されている。本実施形態では、刃体３７にはステンレス鋼材が用いられている。
また本実施形態においては、デザイン趣向性の観点から、ヘッド部３、連結部４、および把持部５について、半透明状の樹脂材による一体成形体が採用されている。
【００２９】
（剃刀１における方向の定義）
本実施形態においては、図１〜図８に示すように、ヘッド部３、連結部４および把持部５を結ぶ長尺方向（剃刀１の長軸方向、すなわち前後方向）をＬＤと定義し、当該ＬＤと交差する幅方向（剃刀１の横方向、すなわち左右方向）をＷＤと定義する。
長尺方向ＬＤにおいて、剃刀１の前方、すなわち連結部４からヘッド部３へと向かう方向４を「長尺方向前方側ＬＤＦ」と定義する。一方、長尺方向ＬＤにおいて、剃刀１の後方、すなわち連結部４から把持部５へと向かう方向を「長尺方向後方側ＬＤＲ」と定義する。
【００３０】
また幅方向ＷＤにおける左右方向を、それぞれ「幅方向右側ＷＤＲ」「幅方向左側ＷＤＬ」と定義する。
更に、上記長尺方向ＬＤおよび幅方向ＷＤと交差する方向を「上下方向ＶＤ」（剃刀１の高さ方向）と定義するとともに、後述する把持部５の、天面部５０に臨む側を「上面側ＴＳ」、上下方向において上面側ＴＳと対向する側を「下面側ＢＳ」と定義する。
【００３１】
（ヘッド部３の構成）
ヘッド部３は、図１および図６示されるように、上記連結部４と一体成形されたヘッド部第１構成体３１と、当該ヘッド部第１構成体３１とは別体として成形されるとともに、刃体３７を間に介在させた状態で、ヘッド部第１構成体３１の長尺方向前方側ＬＤＦに接合されるヘッド部第２構成体３３を有する。当該ヘッド部第２構成体３３は、ヘッド部第１構成体３１と同材料・同色で形成されており、これによりヘッド部３の外観一体性が確保される。
【００３２】
また図６に示すように、ヘッド部第１構成体３１およびヘッド部第２構成体３３は、それぞれ第１櫛部構成体３２および第２櫛部構成体３４を有しており、両者が、取付穴３９を介して、刃体３７を介在させて接合されることにより、長尺方向ＬＤにつき、当該刃体３７を挟む形で櫛部３５が構成される。ヘッド部第１構成体３１およびヘッド部第２構成体３３に挟持される刃体３７は、下面側ＢＳに刃３８が向くように配置される。
【００３３】
図２〜図４、および図６に示すように、櫛部３５は、剃刀１の使用に際し、カット対象となる体毛を刃体３７に送るために櫛当て処理を行う部材として定義される。そして当該櫛部３５により、体毛同士が絡み合ってカット処理の妨げとなることが効果的に防止される。すなわち、処理対象となる体毛が、刃体３７に隣接して形成された櫛部３５によって整列状に整えられた上で、刃体３７に送られてカット処理されるものである。
【００３４】
なお本実施の形態では、長尺方向ＬＤにつき、刃体３７の、長尺方向前方側ＬＤＦおよび長尺方向後方側ＬＤＲのそれぞれに隣接して櫛部３５が形成されているが、これを長尺方向前方側ＬＤＦおよび長尺方向後方側ＬＤＲのいずれか一方のみに隣接配置する構成も採用可能である。
【００３５】
本実施形態においては、櫛部３５における各櫛の配列ピッチは、略１．０ｍｍ（ミリメートル）で合計１７本の櫛の集合体として構成されている。
【００３６】
（連結部４の構成）
図２、図３、図６に示すように、連結部４は、第１連結要素４１、第２連結要素４２を有する。
また第１連結要素４１と第２連結要素４２の間には、上面ＴＳおよび下面ＢＳの双方に臨む貫通開口部４３が形成されている。
貫通開口部４３は、上面ＴＳ側から、当該貫通開口部４３を通じて櫛部３５ないし刃体３７を直接視認することを可能とするべく、幅方向ＷＤにおいて、ヘッド部３の略６０％相当の開口幅寸法ОＷを有する設定とされている。
【００３７】
（把持部５の構成）
図１〜図３、および図２におけるＡ―Ａ線断面図である図７、ならびに図２におけるＢ−Ｂ線断面図である図８に示すように、把持部５は、長尺方向ＬＤへと延在状に形成されるとともに、天面部５０、第１側壁部５１、第２側壁部５２、前面部５３、および後面部５４を主体として構成される。第１側壁部５１および第２側壁部５２は、幅方向ＷＤにおいて、天面部５０の両端部から、当該天面部５０の面方向と交差する方向、すなわち上下方向ＶＤに延在状に形成される。また把持部５の下面側ＢＳには、下面側開口部５５が形成されている。
【００３８】
（リブ５７の構成）
図３、図７、図８に示すように、把持部５は中空状に形成されるとともに、当該中空部において、第１側壁部５１と第２側壁部５２および天面部５０を一体状に連結するように横架されたリブ５７が、長軸方向ＬＤ方向に等間隔で複数形成されている。リブ５７は、本発明における「リブ部」に対応する構成例である。
本実施形態では、リブ５７は合計３つ、略１２mm（ミリメートル）の等ピッチで配列されている。
当該リブ５７は、上記ヘッド部３、連結部４、把持部５とともに樹脂による一体成形体として構成されている。
また図２、図３、図７に示すように、リブ５７は、長尺方向ＬＤおよび上下方向ＶＤの双方に対して傾斜状に配置される構成が採用されており、これにより、複数方向への強度剛性が高くなるように設定されている。
【００３９】
（把持部の各部が手指載置面５９を形成）
天面部５０、第１側壁部５１、第２側壁部５２、前面部５３および後面部５４、およびリブ５７は、それぞれ使用者の手指が載置される手指載置面５９を有する。
そして各部材の手指載置面５９は、それぞれ連続状に接続されて、同一面（面一）を形成するように構成される。これにより、使用者が、把持部５を把持しつつ、載置した手指を移動させる場合においても不要な抵抗を与えず、円滑な移動動作を確保することができる。
【００４０】
（幅寸法に関する特徴）
図２、図３に示すように、把持部５の、幅方向ＷＤへの幅寸法（以下、「ＨＬＷ」とも称呼）は、その最小部分での幅寸法ＨＬＷ１（連結部隣接領域）から最大部分での幅寸法ＨＬＷ２に至るまで、長尺方向のいずれの領域においても、ヘッド部３の幅方向ＷＤへの幅寸法ＨＷ以上に設定されている。さらに把持部５の幅寸法ＨＬＷは、長尺方向ＬＤにつき、ヘッド部３から離間する側（すなわち長尺方向後方側ＬＤＲ）へと向かうにつれて、暫時に（順次ないし逐次に）寸法が増大する構成、すなわち漸増する構成が採用されている。
本実施の形態では、把持部５の最小幅寸法ＨＬＷ１が略２５ｍｍ（ミリメートル）、最大幅寸法ＨＬＷ２が略２８ｍｍ（ミリメートル）、ヘッド部３の幅寸法ＨＷが略２３ｍｍ（ミリメートル）に設定されている。
【００４１】
（連結部４の連結態様）
図２に示すように、連結部４は、幅方向ＷＤにおけるヘッド部３の左右両端部３Ｌ、３Ｒと、幅方向ＷＤにおける把持部５の左右両端部５Ｌ、５Ｒを、それぞれ直線状に連結する構成とされている。換言すれば、ヘッド部３の幅方向ＷＤの両側の端部３Ｌ、３Ｒと把持部５の幅方向ＷＤの両側の端部５Ｌ、５Ｒを最短距離で連結する構成である。
【００４２】
このように構成することで、把持部５のサイズをヘッド部３のサイズと同等以上に設定し、使用者による把持部５の把持態様を多様化することができる（この点については、図９〜図１１を用いて後述する）。そして把持態様を多様化することで、とりわけ陰部や腋部等といったデリケートゾーンにおける体毛カット処理においても、豊富な把持態様の中から使用者が適宜に選択することを許容し、これによって剃刀１の精妙な操作コントロールを行うことができるようになる。更に、上記した幅寸法の漸増構成により、使用者の手指が接触する把持部５の長尺方向前方側ＬＤＦの幅寸法は相対的に小さく、一方、使用者の掌が接触する把持部５の長尺方向後方側ＬＤＲの幅寸法は相対的に大きく設定することとなり、人間工学的見地に立脚し、しっかりと握力を発揮した把持と、狙い通りの精密・正確な作業の両立が図られることになる。
さらに連結部４がヘッド部３の両端部３Ｌ、３Ｒと把持部５の両端部５Ｌ、５Ｒをそれぞれ直線状に連結することで、ヘッド部３と把持部５の組み付け剛性を高く確保することが可能となり、剃刀１の耐久性向上に資する。
【００４３】
（上下方向に関する特徴）
本実施形態では、図７に示すように、上下方向ＶＤにおいて、第１連結要素４１および第２連結要素４２の高さ、すなわち連結部高さ寸法ＣＨは、ヘッド部３の高さ（すなわちヘッド部高さ寸法ＨＨ）および把持部５の高さ（すなわち把持部高さ寸法ＨＬＨ）よりも小さく設定されている。
具体的には、ヘッド部高さ寸法ＨＨを略１１ｍｍ（ミリメートル）、連結部高さ寸法ＣＨを略４ｍｍ（ミリメートル）、把持部高さ寸法ＨＬＨを略１３ｍｍ（ミリメートル）にそれぞれ設定している。
なお本実施形態では、主としてデザイン的な趣向性の観点で、ヘッド部３、連結部４および把持部５には、それぞれラウンド処理、あるいは徐々に寸法が漸減ないし漸増する処理が施されているため、各高さ寸法は、各部の最大（ないし最小）寸法で説明を行っている。
【００４４】
このように構成することで、特にデリケートゾーンでの体毛処理のように、ヘッド部３（刃体３７）をアクセスさせにくい領域にアプローチさせる場合に、上下方向ＶＤにコンパクト化された連結部４が、その障害とならないようにすることができる。また、例えば連結部４の曲げ剛性を適宜に調節し、ヘッド部３の把持部５に対する相対的な回動動作の許容ないし規制を行う態様が構築できる。また上下方向ＶＤに関してヘッド部３、連結部４、把持部５の寸法を適宜に変化させることで剃刀１の外観形状にアクセントを加え、デザイン的な趣向性を向上することが可能とされる。
さらに上記した上下方向に関する特徴により、連結部４の下面ＢＳ側に形成される連結凹部４５を、使用者の手指の把持に用いることも可能である。
【００４５】
（第１の把持態様：上下方向での把持）
次に、本実施形態に係る剃刀１（剃刀ホルダ２）の把持態様について、３つの典型例を用いて説明する。
図９に第１の把持態様が示される。この把持態様では、把持部５の天面部５０およびリブ５７における手指載置面５９を用いて把持を遂行する。
具体的には、使用者の手指Ｆのうち、人差し指（第２指）Ｆ２および中指（第３指）Ｆ３を天面部５０の手指載置面５９に載置するとともに、親指（第１指）Ｆ１をリブ５７の手指載置面５９に載置することで、把持部５を把持し、ヘッド部３を処理対象領域において操作する。
上記したように、本実施形態では、把持部５の幅寸法および高さ寸法に関する工夫に起因して、デリケートゾーンでの精妙な操作コントロールが容易に実現可能とされている。
【００４６】
（第２の把持態様：側面での把持）
図１０に第２の把持態様が示される。この把持態様では、把持部５の第１側壁部５１および第２側壁部５２における手指載置面５９を用いて把持を遂行する。
具体的には、使用者の手指Ｆのうち、親指（第１指）Ｆ１および人差し指（第２指）を、第１側壁部５１および第２側壁部５２における手指載置面５９にそれぞれ載置することで把持部５を把持し、ヘッド部３を処理対象領域において操作する。
第２の把持態様においても、上記した把持部５の幅寸法および高さ寸法における工夫に起因して、デリケートゾーンでの精妙な操作コントロールが容易に実現可能とされている。
また貫通開口部４３を通じて櫛部３５（および刃体３７）を直接視認しながら作業遂行ができるため、作業性の一層の向上が図られている。
【００４７】
（第３の把持態様：逆手での把持）
図１１に第３の把持態様が示される。この把持態様では、第１の把持態様と同様に、把持部５の天面部５０およびリブ５７における手指載置面５９を用いて把持を遂行する。
具体的には、親指Ｆ１を、把持部５と交差させた状態で、リブ５７の手指載置面５９に載置するとともに、人差し指Ｆ２（あるいは中指Ｆ３ないし薬指Ｆ４）を天面部５０の手指載置面５９に交差状に載置することで、把持部５を逆手状に把持し、ヘッド部３を処理対象領域において操作する。
第３の把持態様においても、上記した把持部５の幅寸法および高さ寸法における工夫に起因して、デリケートゾーンでの精妙な操作コントロールが容易に実現可能とされている。
【００４８】
また本実施形態では、典型例として、上記３種類の把持態様について説明したが、使用者による他の把持態様も好適に採用可能である。
例えば、図２、図３、図６に示す貫通開口部４３に手指を入れつつ、前面部５３に設けられた手指載置部５９に載置して、剃刀１を操作する等の態様が採用可能である。
あるいは、図２、図３、図５に示す後面部５４に設けられた手指載置部５９に手指を載置して剃刀１を操作する等の態様も採用可能である。
【００４９】
（本実施形態に係る剃刀１の製品意匠）
図１２に、本実施形態に係る剃刀１の製品意匠の全体構成を六面投影図にて示す（正面と背面は同様に現れるので、背面図については省略）。
【００５０】
（本発明の第２の実施形態）
次に、図１３〜図１５を参照して、本発明の第２実施形態について説明する。第２実施形態は、基本的な構成については上記第１実施形態と同等の構造を有する一方、上記した第１実施形態におけるリブ５７（図３等参照）に対し、更に補助リブを追加するものである。よって第１実施形態と実質的に同等の構成については、その詳細な説明および符号による図示を便宜上省略する。
【００５１】
（第２実施形態の全体構成）
図１３には、第２実施形態に係る剃刀１０１の全体構成が、（六面）投影図として示される。なお、背面図は、正面図と同様に現れるので、図示を便宜上省略している。
図１３に示すように、剃刀１０１における剃刀ホルダ１０２は、ヘッド部１０３、連結部１０４、および把持部１０５について、不透明の樹脂材による一体成形体として構成されている。樹脂材としては、上記第１実施形態と同様に、ＰＰ（ポリプロピレン）の他、ＡＢＳ、エラストマー、ＰＣ（ポリカーボネート）、ＰＥＴ（ポリエチレンテレフタレート）、ＰＶＣ（塩化ビニル樹脂）等が好適に用いられる。識別性ないし趣向性増大の観点で、樹脂材に任意の着色を施す構成が好ましい。
またヘッド部１０３における第２櫛部構成体１３４については、第１実施形態と異なり、ヘッド部１０３の上下方向の略全体に及ぶように長尺状に形成され、趣向性の向上に寄与している。
【００５２】
（補助リブ１６１の構成）
第２実施形態の特徴的構成の一つとして、図１３における底面図に示すように、剃刀１０１では、第１実施形態と同等の構成を有するリブ１５７に対し、更に補助リブ１６１が追加された構成が採用されている。補助リブ１６１は、本発明における「補助リブ部」に対応する構成例である。
補助リブ１６１は、剃刀ホルダ１０２を構成する樹脂材を用いて、他の部材との一体成形体として構成され、互いに隣接し合うリブ１５７―１５７、および把持部１０５の天面部１５０を一体状に連結する。
【００５３】
補助リブ１６１は、剃刀１０１の底面拡大視である図１４に示すように、長尺方向ＬＤおよび幅方向ＷＤに対して交差状に、かつ、剃刀１０１のＣ−Ｃ線断面視である図１５における上下方向ＶＤに対して交差状に延在形成されている。なお図１４、図１５では、図示の煩雑さ回避のため、リブ１５７および補助リブ１６１の全部に符号を付すことを省略し、一部のみに符号を付している。
【００５４】
さらに補助リブ１６１は、長尺方向ＬＤにつき、中央線を挟んで対称状かつ対状に形成されるとともに、長尺方向ＬＤへと波状に延在するように構成される。この結果、補助リブ１６１は、図１３における底面視および図１４において、連続のＶ字状ないしＸ字形状を呈することとなる。
【００５５】
補助リブ１６１を、交差状に形成し、対称状に形成し、さらに波状に形成することにより、把持部１０５の全体に渡って、補強構造を稠密状に配置することが可能となり、把持部１０５の剛性強度について、局所的に低下する領域を極力減少させて、把持部１０５全体として増大させることが可能となる。また、かかる補助リブ１６１の配置特性により、把持部１０５および剃刀１０１の外観デザインにアクセントを付与し、趣向性を増大することが可能となっている。
【００５６】
（補助リブ１６１における手指載置面１６３）
また図１４、図１５に示すように、補助リブ１６１の、下面側開口部１５５に臨む領域には、手指載置面１６３が形成されている。手指載置面１６３は、本発明における「補助リブ部手指載置面」に対応する構成例である。
補助リブ１６１の手指載置面１６３は、リブ１５７の手指載置面１５９と同一面（面一）を形成するように構成されている。
この結果、第１実施形態と同様に、天面部１５０、第１側壁部１５１、第２側壁部１５２、前面部１５３および後面部１５４、リブ１５７は、それぞれ使用者の手指が載置される手指載置面１５９を有し、更に補助リブ１６１は手指載置面１６３を有するとともに、各部材の手指載置面１５９，１６３は、それぞれ連続状に接続されて、同一面（面一）を形成するように構成される。
これにより、使用者が、把持部１０５を把持しつつ、載置した手指を移動させる場合においても不要な抵抗を与えず、円滑な移動動作を確保することができる。
【００５７】
上記の通り、第２実施形態では、補助リブ１６１を、交差状に形成し、対称状に形成し、さらに波状に形成することにより、把持部１０５の全体に渡って、補強リブ１６１を稠密状に配置するため、使用に際して手指を載置する場所である手指載置面１６３を、把持部１０５全体に万遍なく設定することができ、手指載置の場所選択の自由度が大幅に向上している。
しかも、補助リブ１６１の手指載置面１６３と、リブ１５７の手指載置面１５９とが同一面を形成することにより、使用者が、リブ１５７と補助リブ１６１に跨って、載置した手指を移動させる場合においても不要な抵抗を与えず、円滑な移動動作を確保することができる。
【００５８】
（連結部リブ１７３の構成）
さらに第２実施形態では、特に図１４（ないし図１５）に詳しく示すように、連結部１０４の把持部１０５に隣接する個所、すなわち把持部隣接領域１０７において、開口状の凹部１７１が形成されるとともに、当該凹部１７１には、連結部リブ１７３が設けられている。連結部リブ１７３は、本発明における「連結部リブ部」に対応する構成例である。
連結部リブ１７３は、補助リブ１６１と同様に、長尺方向ＬＤ、幅方向ＷＤ、および上下方向ＶＤに対して交差状に延在形成されている。また、図１４、図１５に示すように、連結部リブ１７３の下面側ＢＳには、手指載置面１７５が形成されている。手指載置面１７５は、本発明における「連結部リブ部手指載置面」に対応する構成例である。
【００５９】
また手指載置面１７５は、上記した把持部１０５における各手指載置面１５９（補助リブ１６１の手指載置面１６３）と同一面、すなわち面一をなすように構成されている。
このため、把持部１０５のみならず、連結部１０４にも手指を載置する領域が確保され、使用者にとって、把持の場所選択に関する自由度が一層向上し、剃刀１０１の使用性・操作性の更なる向上が図られることとなる。
【００６０】
上記各実施形態によれば、使用者による剃刀１，１０１の把持性および操作性を向上することに寄与する技術が提供されることとなった。
【図面の簡単な説明】
【００６１】
【図１】本発明の実施形態に係る剃刀１の全体構成を示す正面図である。
【図２】本発明の実施形態に係る剃刀１の全体構成を示す平面図である。
【図３】本発明の実施形態に係る剃刀１の全体構成を示す底面図である。
【図４】本発明の実施形態に係る剃刀１の全体構成を示す左側面図である。
【図５】本発明の実施形態に係る剃刀１の全体構成を示す右側面図である。
【図６】本発明の実施形態に係る剃刀１の全体構成を示す一部分解斜視図である。
【図７】図２におけるＡ―Ａ線断面図である。
【図８】図２におけるＢ―Ｂ線断面図である。
【図９】本実施形態に係る剃刀１の第１の把持態様について示す模式図である。
【図１０】本実施形態に係る剃刀１の第２の把持態様について示す模式図である。
【図１１】本実施形態に係る剃刀１の第３の把持態様について示す模式図である。
【図１２】本実施の形態に係る剃刀１の製品意匠について示す投影図である。
【図１３】本発明の第２実施形態に係る剃刀１０１の投影図である。
【図１４】第２実施形態に係る剃刀１０１の底面図である。
【図１５】図１４におけるＣ−Ｃ線断面図である。
【符号の説明】
【００６２】
１  剃刀
２  剃刀ホルダ
３  ヘッド部
３１  ヘッド部第１構成体
３２  第１櫛部構成体
３３  ヘッド部第２構成体
３４  第２櫛部構成体
３５  櫛部
３７  刃体
３８  刃
３９  取付穴
４  連結部
４１  第１連結要素
４２  第２連結要素
４３  貫通開口部
５  把持部
５０  天面部
５１  第１側壁部
５２  第２側壁部
５４  後面部
５５  下面側開口部
５７  リブ
５９  手指載置面
１０１  剃刀
１０２  剃刀ホルダ
１０３  ヘッド部
１０４  連結部
１０５  把持部
１０７  把持部隣接領域
１５０  天面部
１５１  第１側壁部
１５２  第２側壁部
１５３  前面部
１５４  後面部
１５５  下面側開口部
１５７  リブ
１５９  手指載置面
１６１  補助リブ
１６３  手指載置面
１７１  凹部
１７３  連結部リブ
１７５  手指載置面
ＬＤ  長尺方向
ＷＤ  幅方向
ＶＤ  上下方向
ＴＳ  上面
ＢＳ  下面
ＨＷ  ヘッド部幅寸法
ＨＨ  ヘッド部高さ寸法
ＣＷ  連結部幅寸法
ＣＨ  連結部高さ寸法
ＨＬＷ（１、２）  把持部幅寸法
ＨＬＨ  把持部高さ寸法
Ｆ  手指
Ｆ１  親指（第１指）
Ｆ２  人差し指（第２指）
Ｆ３  中指（第３指）
Ｆ４  薬指（第４指）
【要約】
【課題】  剃刀の合理的な構成技術を提供する。
【解決手段】  ヘッド部３と連結部４と把持部５とを有し、把持部５の幅寸法は、ヘッド部３の幅寸法以上かつヘッド部３から離間する側へ漸増状に設定され、連結部４は、ヘッド部３の両端部および把持部５の両端部を直線状に連結し、連結部４の高さ寸法は、ヘッド部３の高さ寸法および把持部５の高さ寸法よりも小さく設定され、把持部５は、天面部５０と一対の側壁部５１，５２と、長尺方向、幅方向および上下方向に対し傾斜状とされたリブ部５７を有し、天面部５０、一対の側壁部５１，５２およびリブ部５７は、使用者の手指が載置可能な載置面５９を有する剃刀１。
【選択図】      図３【図１】
0006621563.tif 000002
【図２】
0006621563.tif 000003
【図３】
0006621563.tif 000004
【図４】
0006621563.tif 000005
【図５】
0006621563.tif 000006
【図６】
0006621563.tif 000007
【図７】
0006621563.tif 000008
【図８】
0006621563.tif 000009
【図９】
0006621563.tif 000010
【図１０】
0006621563.tif 000011
【図１１】
0006621563.tif 000012
【図１２】
0006621563.tif 000013
【図１３】
0006621563.tif 000014
【図１４】
0006621563.tif 000015
【図１５】
0006621563.tif 000016